【手続補正書】
【提出日】令和2年6月11日(2020.6.11)
【手続補正１】
【補正対象書類名】明細書
【補正対象項目名】００１７
【補正方法】変更
【補正の内容】
【００１７】
上記の表示制御装置において、制御部は、編集項目のデフォルト値または前回設定値からの設定値の変更量が、上下の閾値の範囲内である場合は、設定値の変更量に応じて、印刷イメージの変化を誇張して表示させ、上の閾値を上回る場合は、設定値の変更量を上の閾値としたときの印刷イメージを表示させ、下の閾値を下回る場合は、設定値の変更量を下の閾値としたときの印刷イメージを表示させることを特徴とする。
【手続補正２】
【補正対象書類名】明細書
【補正対象項目名】００１８
【補正方法】変更
【補正の内容】
【００１８】
本発明の構成によれば、設定値の変更量が上下の閾値の範囲内である場合は、ユーザーがその変化に気づきにくいため、設定値の変更量に応じて印刷イメージの変化を誇張して表示させることで、設定値の変更が印刷イメージにどのように反映されたかをユーザーに分かりやすく示すことができる。一方、設定値の変更量が上の閾値を上回る場合は、設定値の変更量を上の閾値としたときの印刷イメージを表示させ、下の閾値を下回る場合は、設定値の変更量を下の閾値としたときの印刷イメージを表示させることで、印刷イメージと印刷成果物とが、大きくかけ離れたものになることを防止できる。
【手続補正３】
【補正対象書類名】明細書
【補正対象項目名】００５２
【補正方法】変更
【補正の内容】
【００５２】
なお、図２に示したように、編集項目「余白長」および「ラベル長」がいずれもデフォルト値に設定された場合、作成されるパンチブロックラベルＬ１は、図２のプレビュー表示領域Ｅ２に表示された印刷イメージＩｃと同様の見た目となる。言い換えれば、編集項目「余白長」および「ラベル長」の少なくとも一方がデフォルト値以外の値に設定された場合、作成されるパンチブロックラベルＬ１と、印刷イメージＩとは、見た目の違いが生じる。これは、ＰＣ制御部１６が、編集項目「余白長」および「ラベル長」について、デフォルト値（初期値）以外の設定値に変更され、その変更量が後述する上下の閾値の範囲内である場合、その変更に基づく印刷イメージＩの変化を誇張して表示させるためである。以下、この編集項目「余白長」および「ラベル長」の設定値の変更による印刷イメージＩの誇張表示について詳述する。編集項目「余白長」および「ラベル長」は、「設定値の変更により印刷媒体の長手方向における印刷イメージの長さが変わる」編集項目の一例である。
【手続補正４】
【補正対象書類名】明細書
【補正対象項目名】００５６
【補正方法】変更
【補正の内容】
【００５６】
ところで、ＰＣ制御部１６は、各編集項目のデフォルト値からの設定値の変更量が、−５ステップから＋５ステップの範囲内（上述の「上下の閾値の範囲内」）である場合、すなわち、図４に示した編集項目「ラベル長」の例で、−０．５［ｍｍ］から＋０．５［ｍｍ］の範囲内である場合、設定値の変更量に応じて、プレビュー表示領域Ｅ２の印刷イメージＩの変化を誇張して表示させる。一方、ＰＣ制御部１６は、各編集項目のデフォルト値からの設定値の変更量が、＋５ステップ（上の閾値）を上回る場合は、設定値の変更量を＋５ステップとしたときの印刷イメージＩを表示させる。また、ＰＣ制御部１６は、各編集項目のデフォルト値からの設定値の変更量が、−５ステップ（下の閾値）を下回る場合は、設定値の変更量を−５ステップとしたときの印刷イメージＩを表示させる。但し、設定値の下限値または上限値の兼ね合いで、５ステップ未満の変更しかできない場合は、変更可能なステップ数の範囲内で誇張表示させる。
【手続補正５】
【補正対象書類名】明細書
【補正対象項目名】００７１
【補正方法】変更
【補正の内容】
【００７１】
また、本実施形態の印刷システムＳＹでは、編集項目のデフォルト値からの設定値の変更量が、５ステップ以下である場合に、設定値の変更量に応じて、印刷イメージＩの変化を誇張して表示させ、５ステップを超える場合、設定値を５ステップとしたときの印刷イメージＩを表示させる。つまり、設定値の変更量が上下の閾値の範囲内である場合は、ユーザーがその変化に気づきにくいため、設定値の変更に基づく変化を誇張して表示させることで、設定値の変更が印刷イメージＩにどのように反映されたかをユーザーに分かりやすく示すことができる。一方、設定値の変更量が上の閾値を上回る場合は、設定値の変更量を上の閾値としたときの印刷イメージＩを表示させ、設定値の変更量が下の閾値を下回る場合は、設定値の変更量を下の閾値としたときの印刷イメージＩを表示させることで、印刷イメージＩとラベルＬの見た目が、大きくかけ離れたものになることを防止できる。
【手続補正６】
【補正対象書類名】明細書
【補正対象項目名】００７２
【補正方法】変更
【補正の内容】
【００７２】
また、本実施形態の印刷システムＳＹでは、誇張表示の対象となる編集項目が複数あり、設定値の変更単位は、編集項目ごとに定められているため、ユーザーは、各編集項目に適した変更単位で編集を行うことができる。また、上下の閾値は、複数の編集項目について同一の変更ステップ数により定められているため、ユーザーは、設定値をどの程度まで変更した場合に、その変更箇所が誇張表示されるかを理解したうえで、印刷イメージＩを確認することができる。
【手続補正７】
【補正対象書類名】明細書
【補正対象項目名】００８１
【補正方法】変更
【補正の内容】
【００８１】
［変形例３］
上記の実施形態において、ＰＣ制御部１６は、編集項目のデフォルト値からの設定値の変更量が上下の閾値の範囲内である場合に、設定値の変更に基づく印刷イメージＩの変化を誇張表示させたが、デフォルト値ではなく、前回設定値（直近の編集処理における設定値）からの設定値の変更量が上下の閾値の範囲内である場合に誇張表示させてもよい。この場合、ＰＣ制御部１６は、前回設定値からの設定値の変更量が上下の閾値の範囲内であれば、印刷イメージＩにおいて、設定値の変更に基づく変化を誇張して表示させる。また、ＰＣ制御部１６は、前回設定値からの設定値の変更量が、上の閾値を上回る場合は、設定値の変更量を上の閾値としたときの印刷イメージＩを表示させ、下の閾値を下回る場合は、設定値の変更量を下の閾値としたときの印刷イメージＩを表示させる。
【手続補正８】
【補正対象書類名】明細書
【補正対象項目名】００８３
【補正方法】変更
【補正の内容】
【００８３】
［変形例５］
また、変更ステップ数ではなく、変更長さを閾値として、誇張表示させるか否かを決定してもよい。この場合、ＰＣ制御部１６は、編集項目「余白長」および「ラベル長」の変更量が、例えば５［ｍｍ］以下の場合、設定値の変更量に応じて印刷イメージＩの変化を誇張して表示させ、５［ｍｍ］を超える場合、設定値の変更量を閾値としたときの印刷イメージＩを表示させる。
【手続補正９】
【補正対象書類名】明細書
【補正対象項目名】００８４
【補正方法】変更
【補正の内容】
【００８４】
なお、さらなる変形例として、編集項目ごとに、設定値の変更量の閾値を設定してもよい。また、ユーザーが、編集項目ごとに、設定値の変更量の閾値を任意の値に変更可能としてもよい。さらに、ユーザーが、編集項目ごとに、設定値のデフォルト値、下限値および上限値、変更単位を、任意の値に変更可能としてもよい。
【手続補正１０】
【補正対象書類名】明細書
【補正対象項目名】００８５
【補正方法】変更
【補正の内容】
【００８５】
［変形例６］
上記の実施形態において、ＰＣ制御部１６は、編集項目のデフォルト値からの設定値の変更量が閾値を超える場合、設定値の変更量を閾値としたときの印刷イメージＩを表示させたが、設定値の変更量が閾値を超える場合、設定値どおりの印刷イメージＩを表示させてもよい。この場合、例えば、編集項目「余白長」のデフォルト値が３［ｍｍ］、変更量を上の閾値としたときの設定値が８［ｍｍ］、誇張表示率が２倍（常に一定の値）の場合、余白長が３，４，５，６，７，８［ｍｍ］までは、印刷イメージＩの余白長を、それぞれ６，８，１０，１２，１４，１６［ｍｍ］のイメージで表示し、余白長の設定値が９［ｍｍ］の場合、印刷イメージＩの余白長を、９［ｍｍ］のイメージで表示することとなる。
【手続補正１１】
【補正対象書類名】特許請求の範囲
【補正対象項目名】全文
【補正方法】変更
【補正の内容】
【特許請求の範囲】
【請求項１】
編集画面における印刷データの編集結果を、印刷イメージとしてディスプレーに表示させ、前記印刷データの編集項目の設定値が変更されたとき、前記編集項目の設定値の変更に基づく前記印刷イメージの変化を誇張して前記ディスプレーに表示させる制御部、を備えることを特徴とする表示制御装置。
【請求項２】
前記制御部は、
前記ディスプレーに表示された前記編集画面のプレビュー表示領域において、前記印刷イメージを表示させることを特徴とする請求項１に記載の表示制御装置。
【請求項３】
前記印刷データは、長尺状の印刷媒体に印刷を行うためのデータであって、
前記編集項目は、前記設定値の変更により前記印刷媒体の長手方向における前記印刷イメージの長さが変わるものであることを特徴とする請求項１または２に記載の表示制御装置。
【請求項４】
前記編集項目は、前記設定値の変更により前記印刷イメージの文字装飾が変わるものであることを特徴とする請求項１または２に記載の表示制御装置。
【請求項５】
前記制御部は、
前記編集項目のデフォルト値または前回設定値からの前記設定値の変更量が、上下の閾値の範囲内である場合は、前記設定値の変更量に応じて、前記印刷イメージの変化を誇張して表示させ、上の前記閾値を上回る場合は、前記設定値の変更量を上の前記閾値としたときの前記印刷イメージを表示させ、下の前記閾値を下回る場合は、前記設定値の変更量を下の前記閾値としたときの前記印刷イメージを表示させることを特徴とする請求項１ないし４のいずれか１項に記載の表示制御装置。
【請求項６】
複数の前記編集項目があり、
前記設定値の変更単位は、前記編集項目ごとに定められ、
前記閾値は、複数の前記編集項目について、同一の変更ステップ数により定められていることを特徴とする請求項５に記載の表示制御装置。
【請求項７】
印刷データの編集画面における前記印刷データの編集結果を、印刷イメージとして表示するディスプレーと、
前記印刷データの編集項目の設定値が変更されたとき、前記編集項目の設定値の変更に基づく前記印刷イメージの変化を誇張して前記ディスプレーに表示させる制御部と、
前記印刷データに基づいて、印刷媒体に印刷を行う印刷部と、を備えることを特徴とする印刷装置。
【請求項８】
編集画面における印刷データの編集結果を、印刷イメージとしてディスプレーに表示させ、前記印刷データの編集項目の設定値が変更されたとき、前記編集項目の設定値の変更に基づく前記印刷イメージの変化を誇張して前記ディスプレーに表示させることを特徴とする表示制御装置の制御方法。
【請求項９】
コンピューターに、請求項８に記載の表示制御装置の制御方法を実行させるためのプログラム。